(57)【要約】【課題】壁掛け状態で使用する際、配線コードを何度も折り曲げる必要がなく、且つ見栄え良く配線できる壁掛け・据え置き兼用電話機を提供する。【解決手段】電話機本体１の後部に接続された配線コード６は、電話機の底面８に設けられた２つの後側脚部８の間を通過し、さらに２つの前側脚部７の間を通過して下方に配線される。前側脚部７の固定部７ｂにはベース部材９が付設されているため、後側脚部８と同等の長さとなり、配線コード６を配線するスペースが確保される。これにより配線コード６を電話機本体１の側面に配線する必要がなくなり、配線コード６の折り曲げ回数が減少するとともに電話機本体１によって配線コード６が隠されるため外観も良くなる。【選択図】      図２
2004304502.tif 000002
【特許請求の範囲】
【請求項１】
底面に設置用の前側脚部と後側脚部を備え、後部に配線コードが接続される電話機において、
前記前側脚部の長さが調節可能となっており、電話機を壁掛け状態で使用する際、前記前側脚部の長さを調節することにより前記配線コードを電話機の後側から前側に向けて電話機底面と壁面との間に配線可能としたことを特徴とする電話機。
【請求項２】
前記前側脚部が電話機底面に固定された固定部と、該固定部に着脱可能に付設されるベース部材からなることを特徴とする請求項１に記載の電話機。
【請求項３】
前記ベース部材が軟質樹脂で形成されることを特徴とする請求項２に記載の電話機。
【請求項４】
前記前側脚部は側面に突起が設けられた円筒部と、該円筒部を保持する保持部とから構成されており、前記保持部の側面には前記突起が嵌合する螺旋状の溝が設けられ、前記円筒部の回転に伴い前記突起が嵌合状態を維持しながら前記溝内を移動することにより、前記前側脚部の長さを調節可能としたことを特徴とする請求項１に記載の電話機。
【請求項５】
前記円筒部と前記突起が軟質樹脂により一体形成されることを特徴とする請求項４に記載の電話機。
【発明の詳細な説明】
【０００１】
【発明の属する技術分野】
本発明は、電話機に関し、特に壁掛け用としても好適に使用可能な据え置き用電話機に関するものである。
【０００２】
【従来の技術】
据え置き用の電話機の構成について説明する。図６は据え置き用電話機の側面図である。電話機本体１の上面には送受話器２や機能キー３、表示パネル４、ダイヤルボタン５等が設けられている。６は電話機をモジュラージャック差込口に接続する配線コードであり、通常、邪魔にならないよう電話機の後部に接続される。電話機本体１の底面には前側脚部７、後側脚部８が設けられている。
【０００３】
据え置き用の電話機を壁掛け状態で使用したい場合、モジュラージャック差込口は部屋の床面付近に設けられているため、配線コード６を下に向けて配線する必要がある。しかし、電話機を配線コード６が接続されている後部を下に向けて壁面に設置すると、電話機上面の送受話器２や機能キー３、表示パネル４、ダイヤルボタン５が上下反対となり、操作性及び視認性が非常に悪くなるため、電話機の前部を下に向けて壁面に設置する必要がある。そこで、配線コード６を電話機の後側から前側に向けて配線することとなる。この場合、配線コード６を電話機本体１の側面に沿って配線することも可能であるが、配線コードを何度も折り曲げる必要があり煩雑である。また配線が目立ってしまうことから外観上も好ましくない。そこで、電話機の底面と壁面との間の隙間に配線コードを配線することが考えられる。これにより、配線コードを何度も折り曲げる必要がなく、電話機本体により配線コードが隠されるため外観上も見栄えがよくなる。
【０００４】
据え置き用の電話機においては、図６に示すように、電話機の操作面を前傾させて電話機上面に設けられた操作キーの操作性や表示パネルの視認性を向上させ、且つ電話機本体をデザイン的に薄く見せるために、電話機の前側脚部７は後側脚部８よりも低く設計されている。配線コードの直径は後側脚部８の高さと同等であるため、壁掛け状態とした場合に電話機の底面と壁面との間に配線コードを配線する十分なスペースは確保できなかった。
【０００５】
上記問題点を解決するため、特開平１１−２２５１９５号公報には、電話機の底面に配線コードを収納する環状の溝を設けた壁掛け・据え置き兼用の電話機が開示されている。
【０００６】
【特許文献１】
特開平１１−２２５１９５号公報
【０００７】
【発明が解決しようとする課題】
しかしながら、上記の特開平１１−２２５１９５号公報においては、電話機本体を載置するベース部材を取り付けているため電話機全体の高さが高くなってしまいデザイン的に劣り、ベース部材を用いる分コストアップにもなる。また、これ以外にも前側脚部を後側脚部と同様に長く設計する方法や、電話機の底面に配線用の溝を設け、この溝に沿ってコードを配線する方法、壁掛け用のアタッチメントを付属させ、配線スペースを確保する方法も考えられるが、前側脚部７を高くした場合、据え置き状態では電話機上面に設けられた操作キーや表示パネルの操作性、視認性が劣ってしまい、電話機本体が厚くなるためデザイン的にも良くない。また、電話機の底面に配線用の溝を設けた場合、配線コードを予め決められた配線パターンに沿って配線する必要があるため配線の自由度が制限されてしまう。また、壁掛け用のアタッチメントを付属させた場合はコストアップとなる上、アタッチメントの取り付け作業が必要となる。
【０００８】
【課題を解決するための手段】
上記課題を達成するため、本発明は、底面に設置用の前側脚部と後側脚部を備え、後部に配線コードが接続される電話機において、前記前側脚部の長さが調節可能となっており、電話機を壁掛け状態で使用する際、電話機の前側に位置する前記脚部の長さを調節することにより前記配線コードを電話機の後側から前側に向けて電話機底面と壁面との間に配線可能としたことを特徴とする。
【０００９】
この構成によると、電話機を壁掛け状態で使用する際、電話機底面と壁面との間に配線コードを配線するスペースが確保できるため配線コードを何度も折り曲げる必要がなく、配線コードが電話機本体により隠されるため外観も良好となる。また、電話機の前側を持ち上げることにより壁掛け使用時における操作キーの操作性、表示パネルの視認性も向上する。
【００１０】
また本発明は、上記構成の電話機において、前記前側脚部が電話機底面に固定された固定部と、該固定部に着脱可能に付設されるベース部材からなることとした。
【００１１】
この構成によると、据え置き用の電話機を壁掛け状態で使用する場合、固定部にベース部材を付設するだけで電話機底面と壁面との間に配線コードを配線するスペースが確保できる。またベース部材を軟質樹脂で形成することにより壁面を傷つける心配がなく、滑り止め効果も期待できる。
【００１２】
また本発明は、上記構成の電話機において、前記前側脚部は側面に突起が設けられた円筒部と、該円筒部を保持する保持部とから構成されており、前記保持部の側面には前記突起が嵌合する螺旋状の溝が設けられ、前記円筒部の回転に伴い前記突起が嵌合状態を維持しながら前記溝内を移動することにより、前記前側脚部の長さを調節可能とした。
【００１３】
この構成によると、電話機の前側脚部を回転させるだけで長さ調節が可能となり、壁掛け状態で使用する場合、他の部材を付設することなく電話機底面と壁面との間に配線コードを配線するスペースが確保でき、再び据え置き状態で使用する場合、容易に元の状態に戻すことができる。更に前記円筒部と突起が軟質樹脂により一体形成されることとしたので、前側脚部の構造が簡単なものとなり、コスト面でも有利となる。
【００１４】
【発明の実施の形態】
以下に本発明の第１実施形態を図面を参照して説明する。図１は本実施形態の電話機の底面図であり、図２は本実施形態の電話機を壁掛け状態で使用した場合の側面図である。電話機の各部の構成は図６と同様であるため説明は省略する。なお、図６に示す従来技術と同じ名称の部材には同一の符号を付している。
【００１５】
図１において、電話機本体１の底面１０の前側（図１では下側）には設置用の前側脚部７が、底面１０の後側には後側脚部８がそれぞれ２箇所ずつ設けられている。前側脚部７は底面１０に固定されている固定部７ａと、固定部７ａに付設されるベース部材９から構成されている。固定部７ａは、後側脚部８に比べ通常低く設計されているが、このように固定部７ａにベース部材９を付設することにより前側脚部７の長さを後側脚部８と同等にすることができ、電話機を壁掛け状態で使用する場合、電話機の底面１０と壁面との間に配線コードの配線スペースを確保することができる。
【００１６】
ベース部材９の材質は特に制限はないが、ゴム、ウレタン等の軟質樹脂を用いた場合、壁面に取り付けた際の滑り止め効果が期待でき、更に壁面を傷つける心配もないためより好ましい。また、ベース部材９を固定部７ａに付設する方法は、接着剤を用いる方法や粘着テープによる方法、ビス止め等の方法を任意に選択可能であるが、粘着テープやビス止めにより付設した場合は、電話機を再び据え置き状態で使用する際部材の取り外しが容易となる。１１は底面１０の中央部に２箇所設けられた壁掛け用の孔であり、壁面に付設されたビス等に嵌着され、電話機本体を壁面に固定する。
【００１７】
このような電話機を壁に取り付けた状態を図２に示す。電話機本体１の後部に接続された配線コード６は、２つの後側脚部８の間を通過し、さらに２つの前側脚部７の間を通過して下方に向かって配線される。前側脚部７の固定部７ａにはベース部材９が付設されているため、後側脚部８と同等の長さとなり、配線コード６を配線するスペースが確保される。これにより配線コード６を電話機本体１の側面に配線する必要がなくなり、配線コード６の折り曲げ回数が減少するとともに電話機本体１によって配線コード６が隠されるため外観も良くなる。
【００１８】
次に本発明の第２実施形態を図面を参照して説明する。図３は本実施形態の電話機に用いられる前側脚部の構成を示す概略図である。図３において、前側脚部７は可動部７ｂと、可動部７ｂを保持する保持部７ｃより構成されている。可動部７ｂは円筒部１２と、円筒部１２の一端に設けられ円筒部１２の直径よりも大きい径大部１３から形成されている。径大部１３には軟質樹脂等からなる部材１４が付設されている。円筒部１２の側面の対向する２箇所には突起１５が設けられている。
【００１９】
保持部７ｃは可動部７ｂの円筒部１２を内接して収納する円筒状に形成される。保持部７ｃは電話機の底面１０において前側脚部７が設けられる場所に底面１０から電話機内部に向けて底面１０と一体形成され、底面１０の表面には開口部１７が設けられている。保持部７ｃの側面の対向する２箇所には螺旋状の溝１６が可動部７ｂの突起１５を嵌合可能に設けられている。なお、本実施形態においては突起１５を２箇所に設けているが、１箇所のみとしてもよく、その場合は溝１６も１箇所に設ければ足りる。
【００２０】
可動部７ｂの円筒部１２は開口部１７より保持部７ｃに挿入され、可動部７ｂと保持部７ｃが一体となることにより伸縮可能な構成となる。突起１５が軟質樹脂等の可撓体により形成されている場合、突起１５は保持部７ｃの内面により変形しながら保持部７ｃ内に挿入され、溝１６の位置まで挿入されると突起１５自体の弾性により復元して溝１６に嵌合する。この場合、円筒部１２、径大部１３及び部材１４も突起１５と同一の材質とすることにより、可動部７ｂ全体が一体形成可能となる。これにより、可動部７ｂの構造が簡単なものとなり、コスト面でも有利となる。
【００２１】
また、突起１５を円筒部１２とは別個に形成し、スプリングにより円筒部１２の側面から出入可能とすることもできる。この場合、突起１５の材質は軟質樹脂に限定されず、硬質樹脂や金属等の硬い材質も使用できる。突起１５は円筒部１２内に設けられたスプリングの弾性力により通常は円筒部１２の側面より突出しているが、スプリングの弾性力に抗して力が加えられると円筒部１２の側面に面一に埋設される。これにより、円筒部１２が保持部７ｃ内に挿入される際、突起１５は保持部７ｃの内面によりスプリングの弾性力に抗して円筒部１２の側面に埋設されるため円滑な挿入が可能となる。更に突起１５が溝１６の位置まで挿入されるとスプリングの弾性力により円筒部１２の側面より再び突出し、溝１６に嵌合する。
【００２２】
突起１５は溝１６に嵌合した後、円筒部１２の回転により嵌合状態を維持しながら溝１６内を移動する。溝１６の形状は、可動部７ｂの径大部１３が電話機の底面１０に当接した時に突起１５が溝１６の上端に到達し、径大部１３が所望の距離だけ底面１０から離れた時に溝１６の下端に到達するように定められる。
【００２３】
次に本実施形態の前側脚部の使用状態について説明する。図４は据え置き使用時における前側脚部の状態を示す概略図であり、図５は壁掛け使用時における前側脚部の状態を示す概略図である。電話機を据え置き状態で使用する場合、電話機の前側脚部７の長さを調節する必要がないため、図４に示すように円筒部１２は保持部７ｃ内に全て収容され、径大部１３の上面は底面１０に当接した状態、つまり前側脚部７が最も短い状態となっている。このとき突起１５は溝１６の上端に位置している。
【００２４】
次に電話機を壁掛け状態で使用する場合、電話機の底面１０と壁面との間に配線コード６を配線するスペースを確保するため前側脚部７を後側脚部８と同等の長さにする必要がある。そこで、図５に示すように保持部７ｃに収納された可動部７ｂを所定の長さだけ突出させる。可動部７ｂの径大部１３を９０度回転させることにより円筒部１２も９０度回転し、それに伴い突起１５が溝１６内を上端から下端に移動する。突起１５が溝１６の下端に到達した時の前側脚部７の長さを後側脚部８の長さと同等となるように設定することにより、簡易かつ確実に前側脚部８の長さを調節することが可能となる。
【００２５】
本実施形態においては、突起１５を円筒部１２の外側面に設け、保持部７ｃの内面に設けられた螺旋状の溝１６と嵌合させ、突起１５が嵌合状態を維持しながら溝１６内を移動することにより前側脚部７の長さを調節可能としたが、可動部７ｂの円筒部１２に溝１６を設ける構成としても良い。この場合、突起１５は保持部７ｃの内面に設けられるか、又は保持部７ｃの内部に更に円筒部１２に内接される円筒部を設けてその外側面に設けることもできる。
【００２６】
また、前側脚部７の長さを調節する方法としてはこれに限定されるものではなく、例えば溝１６を螺旋状ではなく底面１０に対し垂直方向に直線状に形成し、その上端と下端にそれぞれ突起１５を係止する機構を設けても良い。また、可動部７ｂの側面及び保持部７ｃの内面をネジ加工し、可動部７ｂを保持部７ｃに螺入することにより前側脚部７の長さを調節するようにしても良い。
【００２７】
【発明の効果】
本発明によると、底面に設置用の前側脚部と後側脚部を備え、後部に配線コードが接続される電話機において、前側脚部の長さが調節可能となっており、電話機を壁掛け状態で使用する際、電話機の前側脚部の長さを調節することにより配線コードを電話機の後側から前側に向けて電話機底面と壁面との間に配線可能としたため、配線コードを何度も折り曲げる必要がなく、また配線コードが電話機本体により隠されるため外観も良好となる。
【００２８】
また、前側脚部の固定部にベース部材を付設することにより、電話機底面と壁面との間に配線コードを配線するスペースが容易に確保できる。またベース部材を軟質樹脂で形成することにより壁面を傷つける心配がなく、滑り止め効果も期待できる。
【００２９】
また、前記前側脚部を側面に突起が設けられた円筒部と、該円筒部を保持する保持部とにより構成し、前記保持部の側面には前記突起が嵌合する螺旋状の溝が設けられ、前記円筒部の回転に伴い前記突起が嵌合状態を維持しながら前記溝内を移動することにより、前記前側脚部の長さを調節可能としたので、前側脚部を回転させるだけで長さ調節が可能となり、壁掛け状態で使用する場合、他の部材を付設することなく電話機底面と壁面との間に配線コードを配線するスペースが確保でき、再び据え置き状態で使用する場合には容易に元の状態に戻すことができる。更に円筒部と突起を軟質樹脂で一体形成することにより構造が簡単なものとなり、コスト面でも有利となる。
【図面の簡単な説明】
【図１】は、本発明の第１実施形態である電話機の底面図である。
【図２】は、本実施形態の電話機を壁掛け状態で使用した場合の側面図である。
【図３】は、本発明の第２実施形態である電話機に用いられる前側脚部の構成を示す概略図である。
【図４】は、本実施形態の電話機を据え置き状態で使用した場合の前側脚部の状態を示す概略図である。
【図５】は、本実施形態の電話機を壁掛け状態で使用した場合の前側脚部の状態を示す概略図である。
【図６】は、据え置き用電話機の側面図である。
【符号の説明】
１．  電話機本体
２．  送受話器
３．  機能キー
４．  表示パネル
５．  ダイヤルボタン
６．  配線コード
７．前側脚部
７ａ．固定部
７ｂ．可動部
７ｃ．保持部
８．後側脚部
９．  ベース部材
１２．円筒部
１３．径大部
１５．突起
１６．溝
１７．開口部
【図１】
2004304502.tif 000003
【図２】
2004304502.tif 000004
【図３】
2004304502.tif 000005
【図４】
2004304502.tif 000006
【図５】
2004304502.tif 000007
【図６】
2004304502.tif 000008